(57)【特許請求の範囲】
【請求項１】
遊技盤(10)の前面に構成された遊技領域のほぼ中央に設置され裏側に図柄表示装置(40)を有するセンター役物(31)と、
前記センター役物(31)の下方位置に設置され大入賞口(25a)を有する変動入賞装置(24)と、
前記センター役物(31)の左右に設置された入賞装置(21a,21b)と、
前記センター役物(31)の上方左右に風車(23a,23b)が配置される一方、
遊技領域に対応する遊技盤(10)の裏面に前記センター役物(31)と変動入賞装置(24)と入賞装置(21a,21b)と風車(23a,23b)の裏側位置に対応して各々配置される複数種類の裏側付設部材を互いに位置替え可能に組み付けて合体状態とされる裏側ユニット(101)と、が設置されるパチンコ機の遊技盤であって、
前記裏側ユニット(101)は、
前記センター役物(31)の本体枠(31a)の裏側対応部に取着されて後側に前記図柄表示装置(40)を着脱可能に装着し得るほぼ正方形枠状に形成された図柄表示部支持部材(102)と、
前記左右の入賞装置(21a,21b)の裏側対応部に取着されて前記図柄表示部支持部材(102)の左右の側縁に整合状態で組み付け手段を介して組み付けられる入賞球誘導部材(130a,130b)と、
前記変動入賞装置(24)の裏側対応部に取着されて前記図柄表示部支持部材(102)の下縁部に整合状態で組み付け手段を介して組み付けられる左右横長方形状に形成された下部誘導部材(140)と、
前記左右の風車(23a,23b)の裏側対応部に取着されて前記図柄表示部支持部材(102)の左右の上縁に整合状態で組み付け手段を介して組み付けられる方形状に形成された風車基板取付部材(125a,125b)と、により合体状態に構成されており、
前記図柄表示部支持部材(102)は、
センター役物(31)の本体枠(31a)に開口された図柄透視窓より広い開口面域を有する方形枠状に形成されて、上下・左右の４つの側枠部に図柄表示装置(40)を取着固定するための支持手段が形成されており、上側枠部(103)の左右部位の上側に前記風車基板取付部材(125a,125b)に対する組み付け手段が、また、下側枠部(106)の左右部位に前記下部誘導部材(140)に対する組み付け手段が、また、左右の側枠部(104a,104b)の外側の上下方向の各段位置に前記入賞球誘導部材(130a,130b)に対する複数の組み付け手段が夫々形成・配置されており、
前記左右の入賞球誘導部材(130a,130b)は、
縦線基準に見て左右対称形状に形成されており、前記左右の入賞装置(21a,21b)に入って裏側に通出される入賞球を前記下部誘導部材(140)に案内する側部誘導樋(131a,131b)が形成される一方、前記図柄表示部支持部材(102)の各側枠部(104a,104b)に対向する側縁の上下方向の各段位置に図柄表示部支持部材(102)の各組み付け手段に上下方向と左右内外方向とに位置替えして結合可能な複数の組み付け手段が夫々形成されており、
前記下部誘導部材(140)は、
前記変動入賞装置(24)の大入賞口(25a)の裏側に対応する中央部に大入賞口(25a)に入って裏側に通出される入賞球を排出する中央下誘導樋(149)が形成され、左右の端部に前記左右の入賞装置(21a,21b)に入って前記側部誘導樋(131a,131b)から通出される入賞球を受けて下方に排出する下部誘導樋(143a,143b)が形成される一方、前記中央下誘導樋(149)が位置する中央部で左右の前記下部誘導樋(143a,143b)の間に亘る横長範囲の裏側面に左右横長方形状をなす大小の回路基板(96,98)を取着し得る基板取付部(145,147)が形成されており、大回路基板用の基板取付部(145)の上縁左右に前記図柄表示部支持部材(102)の下側枠部(106)の組み付け手段に対する組み付け手段が形成されており、
前記左右の風車基板取付部材(125a,125b)は、
前記左右の風車(23a,23b)を裏側から照射する装飾用ランプを配置接続したランプ基板(67a,67b)が着脱可能に取着される一方、下部に前記図柄表示部支持部材(102)の前記上側枠部(103)の組み付け手段に対する組み付け手段が形成されており、
前記図柄表示部支持部材(102)を中心として、前記下側枠部(106)に前記下部誘導部材(140)の上縁を整合して双方の組み付け手段をビス止めし、前記左右の側枠部(104a,104b)に左右の前記入賞球誘導部材(130a,130b)の各内側縁を整合して双方の組み付け手段をビス止めし、前記上側枠部(103)の左右部位の上側に前記風車基板取付部材(125a,125b)の下縁を整合して双方の組み付け手段をビス止めして合体状態としたことを特徴とするパチンコ機の遊技盤。
【発明の詳細な説明】
【０００１】
【発明の属する技術分野】
本発明は、パチンコ機に装着される遊技盤に関し、詳しくは、遊技盤の裏面側に装着される遊技部材の取付構造に関する。
【０００２】
【従来の技術】
いわゆるパチンコ遊技を実施するための弾球遊技機（以下「パチンコ機」という。）には、数多くの遊技装置類を備えた遊技盤が装着される。例えば、遊技盤の表面側（パチンコ機の正面側）には、当該遊技盤面上に射出されたパチンコ球の流下方向を異ならせる釘や風車の他に種々の入賞装置や装飾装置が配備されており、これら装置類によってかかる遊技盤特有の遊技領域が構成されている。すなわち、パチンコ機の正面側からみて、遊技盤のほぼ中央にはセンター役物（液晶ディスプレイ等を搭載した中央図柄表示装置や開閉羽根等を備えた大型の入賞装置等の総称）といわれる比較的大型の遊技装置が装着され、その周囲には数々の入賞装置や装飾用ランプ等の遊技装置類が配置されている。
【０００３】
また、遊技盤の裏面側（パチンコ機の背面側）には、それら遊技装置類に対応して裏側に設けられた種々の部材（以下、これら部材を「裏側部材」と総称する。）が設けられている。例えば、センター役物を構成する遊技盤裏面側に配置される部材（液晶ディスプレイ等）を所定の位置に配置してそこで支持するための裏側部材、ならびに、各種入賞装置から入賞した遊技球を所定の位置まで誘導する誘導樋や装飾ランプを所定の態様で点灯制御するためのランプ基板を所定の位置に配設してそこで支持するランプ基板取付部材等の裏側部材が、遊技盤裏面側の対応部位に設けられている。而して、これら裏側部材は、各遊技装置に対応させて個々に遊技盤裏面側の所定位置に取り付けられている。あるいは、それら裏側部材の機能を保持しつつ一体に成形した単一部材（以下「一体成形裏側ユニット」という。）を予め形成しておき、それを遊技盤裏面側の所定の位置に取り付けていた。なお、かかる一体成形裏側ユニットは、遊技盤構築における作業効率向上の観点からは好ましい。
【０００４】
【発明が解決しようとする課題】
ところで、近年、パチンコ遊技の高度化および複雑化に連動して遊技盤の盤面構成も複雑且つ多様なものとなってきている。また、このことに伴って、センター役物の形状のみならず、その周囲における各種遊技装置の種類やそれらを配置する部位についても機種（パチンコ遊技）ごとに異ならせることが多くなっている。かかる場合、上記一体成形裏側ユニットに関していえば、遊技盤の内容（すなわち盤面構成）に応じて相互に異なる一体成形裏側ユニットを供給する必要があった。一体成形裏側ユニットでは、その一部の形状や構成要素（遊技球が通過する穴等）の位置が僅かに相違するのみで、かかるユニットそのものが使用できなくなるからである。
【０００５】
しかしながら、上述のように遊技盤の種類に応じて個別対応式に裏側ユニットを供給することには以下のような問題点があった。すなわち、多様化した遊技装置の形状や配置部位に応じて何種類もの一体成形裏側ユニットを別個に製造することは、製造コスト（成形金型の製造費等）の負担が大きくなり、経済的に不利である。また、遊技盤の盤面構成の変更によって不要になった一体成形裏側ユニット全体を廃棄することは、省資源・リサイクルの観点からも好ましいことではない。一方、かかる一体成形裏側ユニットを採用する代わりに、遊技盤の種類に応じて供給した機能が異なる何種類もの裏側部材を各遊技盤の所定位置に個々に取り付けることは、遊技盤製造過程（延いてはパチンコ機製造過程）における作業効率の悪化を招くため、好ましいことではない。
【０００６】
本発明は、遊技盤の盤面構成の多様化に伴う上記問題点を解決すべく創出されたものであり、その目的とするところは、製造コストの上昇を抑制するための裏側部材の標準化（汎用化）と、遊技盤の構築における作業効率を良好に維持することとを共に実現した遊技盤およびそのような遊技盤を装着したパチンコ機を提供することである。
【０００７】
【課題を解決するための手段】
上記目的を達成するため本発明は、遊技盤の前面に構成された遊技領域のほぼ中央に設置され裏側に図柄表示装置を有するセンター役物と、
前記センター役物の下方位置に設置され大入賞口を有する変動入賞装置と、
前記センター役物の左右に設置された入賞装置と、
前記センター役物の上方左右に風車が配置される一方、
遊技領域に対応する遊技盤の裏面に前記センター役物と変動入賞装置と入賞装置と風車の裏側位置に対応して各々配置される複数種類の裏側付設部材を互いに位置替え可能に組み付けて合体状態とされる裏側ユニットと、が設置されるパチンコ機の遊技盤であって、
前記裏側ユニットは、
前記センター役物の本体枠の裏側対応部に取着されて後側に前記図柄表示装置を着脱可能に装着し得るほぼ正方形枠状に形成された図柄表示部支持部材と、
前記左右の入賞装置の裏側対応部に取着されて前記図柄表示部支持部材の左右の側縁に整合状態で組み付け手段を介して組み付けられる入賞球誘導部材と、
前記変動入賞装置の裏側対応部に取着されて前記図柄表示部支持部材の下縁部に整合状態で組み付け手段を介して組み付けられる左右横長方形状に形成された下部誘導部材と、
前記左右の風車の裏側対応部に取着されて前記図柄表示部支持部材の左右の上縁に整合状態で組み付け手段を介して組み付けられる方形状に形成された風車基板取付部材と、により合体状態に構成されており、
前記図柄表示部支持部材は、
センター役物の本体枠に開口された図柄透視窓より広い開口面域を有する方形枠状に形成されて、上下・左右の４つの側枠部に図柄表示装置を取着固定するための支持手段が形成されており、上側枠部の左右部位の上側に前記風車基板取付部材に対する組み付け手段が、また、下側枠部の左右部位に前記下部誘導部材に対する組み付け手段が、また、左右の側枠部の外側の上下方向の各段位置に前記入賞球誘導部材に対する複数の組み付け手段が夫々形成・配置されており、
前記左右の入賞球誘導部材は、
縦線基準に見て左右対称形状に形成されており、前記左右の入賞装置に入って裏側に通出される入賞球を前記下部誘導部材に案内する側部誘導樋が形成される一方、前記図柄表示部支持部材の各側枠部に対向する側縁の上下方向の各段位置に図柄表示部支持部材の各組み付け手段に上下方向と左右内外方向とに位置替えして結合可能な複数の組み付け手段が夫々形成されており、
前記下部誘導部材は、
前記変動入賞装置の大入賞口の裏側に対応する中央部に大入賞口に入って裏側に通出される入賞球を排出する中央下誘導樋が形成され、左右の端部に前記左右の入賞装置に入って前記側部誘導樋から通出される入賞球を受けて下方に排出する下部誘導樋が形成される一方、前記中央下誘導樋が位置する中央部で左右の前記下部誘導樋の間に亘る横長範囲の裏側面に左右横長方形状をなす大小の回路基板を取着し得る基板取付部が形成されており、大回路基板用の基板取付部の上縁左右に前記図柄表示部支持部材の下側枠部の組み付け手段に対する組み付け手段が形成されており、
前記左右の風車基板取付部材は、
前記左右の風車を裏側から照射する装飾用ランプを配置接続したランプ基板が着脱可能に取着される一方、下部に前記図柄表示部支持部材の前記上側枠部の組み付け手段に対する組み付け手段が形成されており、
前記図柄表示部支持部材を中心として、前記下側枠部に前記下部誘導部材の上縁を整合して双方の組み付け手段をビス止めし、前記左右の側枠部に左右の前記入賞球誘導部材の各内側縁を整合して双方の組み付け手段をビス止めし、前記上側枠部の左右部位の上側に前記風車基板取付部材の下縁を整合して双方の組み付け手段をビス止めして合体状態としたパチンコ機の遊技盤を提供する。
【０００８】
したがって、図柄表示部支持部材を中心（コア）とし、かかる中心部材に複数種類の裏側付設部材を予め相互に組み付けることによって、それらが一体状に合体した複合部材（以下「組み付け裏側ユニット」という。）を遊技盤の裏面側に一体的に取り付けることができる。この結果、上記従来の一体成形裏側ユニットと同様、物理的に一つとなった組み付け裏側ユニットを遊技盤に装着することによって上記複数種類の裏側部材を一度に装着することが可能となるため、遊技盤構築における作業効率を良好に維持することができる。
【０００９】
また、センター役物またはその周囲に配置される機能が異なる複数の遊技装置の種類やその配置位置を変動させた場合にも、その変更に対応して上記図柄表示部支持部材またはいくつかの裏側付設部材を個別に交換することのみで対処することが可能であり、裏側部材全体を交換する必要はない。このため、上記従来の一体成形裏側ユニット全体を交換する場合と比較して、成形金型製造費等の製造コストの上昇を低く抑えることができる。遊技装置（センター役物、入賞装置、風車等）のうち、交換または配置位置を変更したものに対応する裏側部分（即ち図柄表示部支持部材または機能の異なるいくつかの裏側付設部材）の変更のみでよいからである。そして、本発明の遊技盤では、その盤面構成の変更（即ちセンター役物の交換またはその周囲の遊技装置類の交換やそれらの配置位置の変更）において、変更を要しない図柄表示部支持部材または裏側付設部材をそのまま使用することができる。このため、本発明の遊技盤によれば個々の裏側付設部材や図柄表示部支持部材の互換性を高めることができ、結果、これら裏側部材の標準化（汎用化）に寄与することができる。さらに、図柄表示部支持部材を中心（コア）とし、かかる中心部材に機能の異なる複数種類の裏側付設部材を予め相互に組み付けることによって、それらが一体状に合体した複合部材（以下「組み付け裏側ユニット」という。）を遊技盤の裏面側に一体的に取り付けることができる。この結果、上記従来の一体成形裏側ユニットと同様、物理的に一つとなった組み付け裏側ユニットを遊技盤に装着することによって上記複数の裏側部材を一度に装着することが可能となるため、遊技盤構築における作業効率を良好に維持することができる。
【００１０】
【発明の実施の形態】
以下、本発明の遊技盤の好適な一実施形態を図面を参照しつつ説明する。なお、図１は本実施形態に係る遊技盤１０を装着したパチンコ機１の正面図である。図２は本パチンコ機１の背面図である。また、図３は裏セット板１５を取り外して本実施形態に係る遊技盤１０の裏面側が露出した状態を示す背面図である。
【００１１】
図１に示すように、本実施形態に係るパチンコ機１は、従来の一般的なパチンコ機と同様、長方形枠状に成形された木枠２の前面に額縁状に成形された前枠３が装着されている。この前枠３の上部には、後述する遊技盤８を透視し得るガラス板を嵌め込み装着した金枠４が開閉可能に軸着されている。而して、この金枠４の裏面側には、本パチンコ機１においてパチンコ遊技（ここでは第１種パチンコ遊技）を実施するために必要な種々の遊技装置類を備えた遊技盤１０が着脱可能に装着されている。本遊技盤１０の詳細については後述する。
【００１２】
一方、前枠３の下部には、上記金枠４に隣接して前板５が開閉可能に軸着されている。この前板５の表面にはパチンコ球の受け皿である上皿５ａが取り付けられている。この前板５の下方には、パチンコ球の受け皿の一つである下皿６やパチンコ球を遊技盤上に発射するための発射装置１６（図２）に連通するハンドル７等が装着されている。なお、これら装置類は、一般的なパチンコ機に装備されているものと同様のものであり、本発明を何ら特徴付けるものではないので、これらに関する詳細な説明は省略する。
【００１３】
次に、本パチンコ機１の裏面側の構成について説明する。図２に示すように、前枠３の裏面側には、その開口部の周縁部においてベース枠１４が組み付けられている。而して、図３に示すように、このベース枠１４の枠内に本遊技盤１０が着脱可能に嵌め込まれている。また、遊技盤１０の下方には遊技球発射装置１６が装着されている。一方、遊技盤１０の後方の周縁部には裏セット機構９が配備されている。裏セット機構９の主体部をなす裏セット板１５は、裏カバー体１８の周囲を取り囲むようにして枠状に構成されている。そして、裏セット板１５は、その一方の側（図２の向かって右側）において裏セットヒンジ８によってベース枠１４の一側に開閉可能に組み付けられている。さらに、裏セット板１５は、その自由端側（図２の向かって左側）において複数の締め具１４ａによってベース枠１４に対し着脱可能に締め付けられている。これによって裏セット板１５はベース枠１４に対して閉じ状態に保持されている。なお、ベース枠１４に嵌め込まれている遊技盤１０は閉じ状態の裏セット板１５に押し付けられて保持されている。
【００１４】
また、図２に示すように、通常のパチンコ機と同様、この裏セット板１５には、球貯留タンク１９、タンクレール１９ａ、配電盤１７の他、図示しない賞球払出し装置や下部集合樋等の裏セット機構９を構成する各種装置類が配設されている。また、裏カバー体１８の裏面には、パチンコ制御の主要部をなす制御回路を有する制御基板（図示せず）が収納された基板収納ボックス２０が取り付けられている。なお、裏セット板１５に装着されるこれら装置類は、一般的なパチンコ機で通常使用され得るものであればよく、本発明を特定する事項ではないため、詳細な説明は省略する。
【００１５】
次に、本実施形態に係る遊技盤１０の構成を説明する。図１に示すように、本実施形態に係る遊技盤１０は、従来のものと同様、平板状のパネル部材１２と当該パネル部材１２上に装着された後述する種々の遊技装置類とから構成されている。このパネル部材１２の表面には、パチンコ機１の発射装置１６から射出されたパチンコ球を遊技盤１０上部に誘導するための誘導レール１１が円形渦巻き状に装着されている。そして、この誘導レール１１によって包囲された内側の領域が本遊技盤１０における遊技領域である。而して、この遊技領域のほぼ中央部には中央開口部１３（図３）が形成されており、その中央開口部１３には本実施形態に係るセンター役物３１に相当する大型の中央表示装置が装着されている。本実施形態に係るセンター役物３１は、大まかにいって、上記中央開口部１３の周縁部を覆うようにしてパネル部材１２表面側に典型的にはビスによって取り付けられている本体枠３１ａと、その本体枠３１ａの後方（即ち遊技盤１０の裏面側）に配備される図柄表示装置４０（液晶ディスプレイ装置）とから構成されている。図１および図１におけるIV−IV線断面図である図４に示すように、かかる本体枠３１ａは、中央開口部１３に入り込むように後方に向かって形成されている周壁部３４を当該開口部１３の前方から挿入するとともに当該開口部１３からはみ出して遊技盤１０前面に配置される部分（以下「前面装飾部分」という。）を遊技盤１０の前面に当接させる。而して、当該前面装飾部分における周縁部の複数箇所に設けられた取付孔を通してビス等が遊技盤１０前面にねじ込まれることによって装着されている。
【００１６】
一方、図１に示すように、このセンター役物３１の周囲には、遊技盤１０上に射出された遊技球の落下速度や方向を調節するための多数の遊技釘（図示せず）とともに、種々の遊技装置が配置されている。すなわち、センター役物３１の上方には遊技状況に応じて点灯するランプ（図示せず）を備えた風車２３ａ，２３ｂが備えられている。また、センター役物３１の両側方には、いわゆる普通入賞口を形成する普通入賞装置２１ａ，２１ｂ（チャッカー）が備えられている。
【００１７】
また、センター役物３１の下方には、本実施形態に係る遊技盤１０において第１種始動口を形成する特別入賞装置２２が備えられている。特別入賞装置２２の前面には普通図柄表示部（７セグメントＬＥＤ）が付設されている。さらに当該入賞装置２２の下方には、後述する大当たり時に開放される大入賞口２５ａと第１種始動口に相当する変動入賞口２５ｂとを有する大型の変動入賞装置２４（アタッカー）が備えられている。この変動入賞装置２４の下方（即ち遊技領域の最下部）にはいずれの入賞口にも入賞しなかった遊技球を回収するためのアウト口２９が設けられている。一方、図１に示すように、変動入賞装置２４の両側方において、図示しないランプを内蔵したサイド装飾部材２６ａ，２６ｂが誘導レール１１に沿って備えられている。而して、かかるサイド装飾部材２６ａ，２６ｂの内側に隣接して普通入賞口を形成するサイド入賞装置２７ａ，２７ｂが備えられている。
【００１８】
次に、上記構成からなる本実施形態に係る遊技盤１０において通常の基本的パチンコ遊技（即ち遊技球の入賞に伴い所定数の賞品球を払い出す通常の遊技状態）とともに行い得る特別遊技について簡単に説明する。本実施形態にかかる遊技盤１０は、いわゆる第１種パチンコ遊技を実施するためのものであり、上述の各種遊技装置の動作は、パチンコ機１本体に設けられた制御部（図示せず）によって遊技内容およびその進行状況に応じて制御されている。すなわち、本遊技盤１０に射出された遊技球が上記普通入賞装置２１ａ，２１ｂが形成する入賞口に入球すると上記普通図柄表示部において図柄（ここでは７セグメントＬＥＤによる０〜９の数字）が変動する。そして、かかる普通図柄表示部において普通図柄が所定時間（例えば２０秒間）変動した後に所定の当たり図柄（例えば７）が表示された場合、上記変動入賞装置２４の変動始動口２５ｂ（第１種始動口）が所定時間（ここでは１秒間）開放される。
【００１９】
而して、第１種始動口に遊技球が入球すると上記センター役物３１の図柄表示装置４０において特別図柄が変動する。なお、この特別図柄変動時にさらに遊技球が第１種始動口に入った場合、４回まで変動機会が保留される。すなわち、特別図柄変動時にさらに遊技球が第１種始動口に４個入球した場合、いわゆる特別図柄変動についての保留満タン状態となり、それ以上の入球は無視される。なお、保留されている回数は、センター役物３１における本体枠３１ａに設けられた計４個の光が透過可能な穴（典型的には光透過可能なカバーが嵌め込まれている。）からなる保留表示部３１ｂによって遊技者に認知される。すなわち、この保留表示部３１ｂの後方に設けられた保留表示ランプ６６（図３、図４参照）のうちの対応する数だけの点灯が保留表示部３１ｂを通してパチンコ機正面側において認知される。従って、計４個の保留表示部３１ｂ（保留表示ランプ６６）が全て点灯した場合が特別図柄変動に関する保留満タン状態である。而して、図柄表示装置４０に上記リーチ時期を経て所定の当たり図柄（ここでは７７７）が表示された場合には、変動入賞装置２４における大入賞口２５ａが、所定時間（典型的には３０秒間若しくは１０個の遊技球が入賞するまでの間）開放する。そして、当該大入賞口２５ａより入賞した遊技球が当該大入賞口２５ａの内部にある特別入賞区域（Ｖゾーン）を通過した場合には、一旦閉じた大入賞口２５ａが再び所定時間開放することとなる。この反復動作は典型的には最大１６回継続される。
【００２０】
次に、本実施形態に係る遊技盤１０の裏面側の構成について詳述する。図３に示すように、本実施形態に係る遊技盤１０（パネル部材１２）の裏面側には、本実施形態に係る組み付け裏側ユニット５１が典型的にはビスによって取り付けられている。図３および図５に示すように、本実施形態に係る組み付け裏側ユニット５１は、上記裏側センター部材に相当する図柄表示部支持部材５２に、上記裏側付設部材に相当する左右一対の風車基板取付部材７５ａ，７５ｂ、左右一対のチャッカー入賞球誘導部材８０ａ，８０ｂおよび下部誘導部材９０がそれぞれ組み付けられて合体物とされている裏側ユニットである。なお、これら裏側部材はいずれも典型的には合成樹脂製の成型品である。以下、詳細に説明する。
【００２１】
本実施形態に係る組み付け裏側ユニット５１の中心部材となる図柄表示部支持部材５２は、上記中央開口部１３に覆い被さるようにして取り付けられた方形枠状部材である。すなわち、図３および図５に示すように、本実施形態に係る図柄表示部支持部材５２は、遊技盤１０の裏面側に直立した壁状に突設される上側枠部５３、下側枠部５６および左右の側枠部５４ａ，５４ｂから構成されている。図５に示すように、この図柄表示部支持部材５２における左右の側枠部５４ａ，５４ｂの内壁面には延伸プレート５５ａ，５５ｂが当該側枠部５４ａ，５４ｂの頂面より若干低い位置（即ち窪んだ位置）に形成されている。而して、当該延伸プレート５５ａ，５５ｂおよび下側枠部５６には、上記本体枠３１ａに関連する装飾物としての装飾ランプ６５を備えた装飾用ランプ基板６３を装着するための役物装飾用取付部が形成される。すなわち、本実施形態においては、下側枠部５６のほぼ中央部および延伸プレート５５ａ，５５ｂの上部寄り部分の計３箇所に形成された取付用ボス５６ａと、延伸プレート５５ａ，５５ｂの下部寄り部分に形成された左右の両位置決め用ボス５６ｂとによってかかる役物装飾用取付部が構成されている。
【００２２】
一方、図３に示すように、かかる役物装飾用取付部に取り付けられる装飾用ランプ基板６３は、図柄表示部支持部材５２の下側枠部５６および左右の側枠部５４ａ，５４ｂに沿って略Ｕ字状に形成された基板である。而して、この装飾用ランプ基板６３は、各取付用ボス５６ａおよび位置決め用ボス５６ｂ上に設置され、且つ、位置決め用ボス５６ｂの位置決めピンによって位置決めされる。そして、この状態で各取付用ボス６１においてビスで締め付けることによって、かかる装飾用ランプ基板６３が図柄表示部支持部材５２（上記役物装飾用取付部）に装着されている。図３に示すように、装飾用ランプ基板６３の左右の両側板部６３ａには、パチンコ機１の正面からみて本体枠３１ａ（前面装飾部分）に隠れる位置において、左右各複数（図３では左右各４つ）の装飾ランプ６５が装着されている。また、図３に示すように、装飾用ランプ基板６３の下板部６３ｂには、複数（図３では４つ）の上記保留表示ランプ（典型的にはＬＥＤ）６６が装着されている。
【００２３】
また、この図柄表示部支持部材５２の上側枠部５３および下側枠部５６には、上記装飾用ランプ基板６３と所定の間隔を隔てつつその後方に図柄表示装置４０を装着・支持するための支持部が設けられている。本実施形態において、かかる支持部は、上側枠部５３のほぼ中央から遊技盤１０の後方に突設されている上壁部５７および当該上壁部５７の頂部から下方に折れ曲がって形成されている支持片５７ａ（図４参照）、ならびに、左側枠部５４ａの下端部と下側枠部５６の左端部とのコーナ部および右側枠部５４ｂの下端部と下側枠部５６の右端部とのコーナ部において各々略Ｌ字状に突設されているコーナ壁部５８ａ，５８ｂとから構成されている。また、かかるコーナ壁部５８ａ，５８ｂに隣接して取付用ボス５９および位置決め用ボス６０がそれぞれ突設されている。
【００２４】
一方、図４に示すように、本実施形態に係る図柄表示装置４０は、一般的なパチンコ機で通常使用されているものと同様、ほぼ直方体形状に形成されている液晶ディスプレイ装置から成る表示装置である。而して、その上部の中央部分には、装着時に上記上壁部５７の支持片５７ａが差し込まれ得る凹部４２が後側面から前側近傍にわたって形成されている。また、図柄表示装置４０の下面の左右両端部寄りには、取付用ボス５９および位置決め用ボス６０の先端面に向けて張り出す左右一対の取付片４３が略垂下状に形成されている。而して、図４に示すように、この図柄表示装置４０は、その凹部４２に上壁部５７の支持片５７ａが差し込まれながら、その下部の左右コーナ部が上記コーナ壁部５８ａ，５８ｂの内壁面に当接された状態で設置される。この状態で、図柄表示装置４０の上記左右一対の取付片４３が取付用ボス５９および位置決め用ボス６０の先端面に押し当てられ、当該位置決め用ボス６０の位置決めピンによって位置決めされる。ここで、図４に示すように、左右一対の取付片４３を通してビスｖを各取付用ボス５９にそれぞれねじ込むことによって、本図柄表示部支持部材５２の支持部に図柄表示装置４０を装着・支持することができる。このように、図柄表示装置４０を装着・支持することによって、図１および図４に示すように、パチンコ機１（遊技盤１０）の正面側から中央開口部１３を通して当該図柄表示装置４０の表示部分４１が視認可能となっている。
【００２５】
ところで、本実施形態に係る図柄表示部支持部材５２の上側枠部５３の両端近くにおいて、左右一対の組み付けボス７０ａ，７０ｂがその外壁面に隣接して形成されている。すなわち、図５に示すように、かかる上側枠部５３の外壁面から垂直に延伸（即ちパチンコ機１の上方に延伸）するようにして、ビス穴を有する左右一対の組み付けボス７０ａ，７０ｂが形成されている。さらに、図５に示すように、左右の側枠部５４ａ，５４ｂの外壁面においても、上記組み付けボス７０ａ，７０ｂと同様の組み付けボス７１ａ〜ｃ，７２ａ〜ｃが左右３個ずつほぼ等間隔に形成されている。一方、下側枠部５６の上記取付用ボス５９および位置決め用ボス６０の下方において、下側枠部５６の頂面とほぼ等しい高さを維持しつつ組み付け天板部６１ａ，６１ｂが形成されている。このことによって、本図柄表示部支持部材５２を遊技盤１０に装着した際には、遊技盤１０の裏面とかかる組み付け天板部６１ａ，６１ｂとの間には、後述する下部誘導部材９０の組み付けボス７３ａ，７３ｂを挿入し得る程の空隙が形成されている。また、図５に示すように、かかる組み付け天板部６１ａ，６１ｂには、ビスｖの軸棒を貫通し得る係合穴６２ａ，６２ｂが設けられている。而して、これら組み付けボス７０ａ〜ｂ，７１ａ〜ｃ，７２ａ〜ｃや係合穴６２ａ，６２ｂを介して上記風車基板取付部材７５ａ，７５ｂ、チャッカー入賞球誘導部材８０ａ，８０ｂおよび下部誘導部材９０を、各々着脱可能に図柄表示部支持部材５２に組み付けることができる。このことについては詳述する。
【００２６】
次に、本実施形態に係る組み付け裏側ユニット５１の一部を構成する風車基板取付部材７５ａ，７５ｂについて説明する。図５に示すように、本実施形態に係る風車基板取付部材７５ａ，７５ｂは、上記図柄表示部支持部材５２の上側枠部５３の左右両端上部に配置される裏側付設部材であって、かかる図柄表示部支持部材５２とは機能の異なる裏側付設部材である。而して、これら風車基板取付部材７５ａ，７５ｂは、上記上側枠部５３等と同様、遊技盤１０の裏面側に直立した壁状に突設される外枠部７６ａ，７６ｂによってその主要骨格が形成されており、その外枠部７６ａ，７６ｂに包囲された部分が本実施形態に係る風車基板取付部材７５ａ，７５ｂにおける風車用基板取付部７８ａ，７８ｂに相当する。すなわち、外枠部７６ａ，７６ｂの頂面には上記風車２３ａ，２３ｂを遊技状況に応じて照明するためのランプ（図示せず）を有する風車用ランプ基板６７ａ，６７ｂが装着されている（図３）。
【００２７】
さらに、図５に示すように、外枠部７６ａ，７６ｂの左右両側片部分は、パチンコ機１の下方に延伸しており、かかる延伸部分の頂面には組み付け天板部７７ａ，７７ｂが形成されている。このことによって、風車基板取付部材７５ａ，７５ｂを遊技盤１０に装着した際には、遊技盤１０の裏面とかかる組み付け天板部７７ａ，７７ｂとの間には、上記図柄表示部支持部材５２の組み付けボス７０ａ，７０ｂを挿入し得る程の空隙が形成されている。また、図５に示すように、かかる組み付け天板部７７ａ，７７ｂには、上記と同様の係合穴７９ａ，７９ｂが設けられている。而して、本実施形態に係る風車基板取付部材７５ａ，７５ｂは、これら係合穴７９ａ，７９ｂ付き組み付け天板部７７ａ，７７ｂを介して上記図柄表示部支持部材５２に着脱可能に組み付けることができる。このことについては後述する。
【００２８】
次に、本実施形態に係る組み付け裏側ユニット５１の一部を構成するチャッカー入賞球誘導部材８０ａ，８０ｂについて説明する。図５に示すように、本実施形態に係るチャッカー入賞球誘導部材８０ａ，８０ｂは、上記普通入賞装置２１ａ，２１ｂ（チャッカー）が形成する普通入賞口から入賞した遊技球を下方に案内するための側部誘導樋（球通路）８１ａ，８１ｂを構成する裏側付設部材であって上記図柄表示部支持部材５２や風車基板取付部材７５ａ，７５ｂとは機能の異なる裏側付設部材である。
【００２９】
而して、これらチャッカー入賞球誘導部材８０ａ，８０ｂは、遊技盤１０の裏面側に直立した壁状に突設されるとともにほぼコの字状に折れ曲がって形成された側壁部８２ａ，８２ｂ（誘導樋の内壁側と外壁側とを含む）と、かかる側壁部８２ａ，８２ｂの頂面に設けられたフラットな天板部８４ａ，８４ｂとから構成されている。このことによって、本実施形態に係るチャッカー入賞球誘導部材８０ａ，８０ｂを遊技盤１０の裏面側に装着した際には、当該遊技盤１０裏面と側壁部８２ａ，８２ｂと天板部８４ａ，８４ｂとに囲まれた誘導樋８１ａ，８１ｂ（即ち入賞球が通行し得る空間部）が形成されることとなる。なお、図５に示すように、天板部８４ａ，８４ｂの中央やや下寄りには後述する基板を装着するための基板取付部８６ａ，８６ｂがブロック状に形成されている。この基板取付部８６ａ，８６の上面には上記普通入賞装置２１ａ，２１ｂ（チャッカー）への入賞や遊技状況に応じて当該普通入賞装置２１ａ，２１ｂを照明するためのランプ（図示せず）を有する装飾ランプ基板６８ａ，６８ｂが装着されている（図３）。而して、図５に示すように、この基板取付部８６ａ，８６形成部分において、側部誘導樋８１ａ，８１ｂに入った入賞球は、かかる基板取付部８６ａ，８６ｂの上端部に相当する側壁の傾斜に沿って転動し、当該基板取付部８６ａ，８６ｂの側方を通過して下方に流下することとなる（図５および図６における矢印参照）。また、側部誘導樋８１ａ，８１ｂの最下端部は開放されており（即ち天板部８４ａ，８４ｂは存在するが側壁部８２ａ，８２ｂは欠損している。）、側部誘導樋８１ａ，８１ｂを流下してきた入賞球を放出し得る連絡口８５ａ，８５ｂを形成している。而して、側部誘導樋８１ａ，８１ｂ内を流下してきた入賞球は、かかる連絡口８５ａ，８５ｂを介して後述する下部誘導樋９３ａ，９３ｂに誘導される。
【００３０】
一方、側壁部８２ａ，８２ｂの上端外側には本実施形態に係るチャッカー入賞球誘導部材８０ａ，８０ｂあるいは組み付け裏側ユニット５１全体を遊技盤１０裏面側に取り付けるための取付用フランジ８３ａ，８３ｂが設けられている。また、図５に示すように、かかる取付用フランジ８３ａ，８３ｂの内側部に接するようにして側壁部８２ａ，８２ｂおよび天板部８４ａ，８４ｂが上方に立ち上がって延伸形成されている。かかる延伸部分は上記風車基板取付部材７５ａ，７５ｂ等における組み付け天板部の一部に相当する部分である。而して、図５に示すように、天板部８４ａ，８４ｂの図柄表示部支持部材５２に近接する部分には、上下方向に亘って左右３個ずつの係合穴８８ａ〜ｃ，８９ａ〜ｃが形成されている。而して、本実施形態に係るチャッカー入賞球誘導部材８０ａ，８０ｂは、これら係合穴８８ａ〜ｃ，８９ａ〜ｃ付き天板部８１ａ，８１ｂを介して上記図柄表示部支持部材５２の両側部に着脱可能に組み付けることができる。このことについては後述する。
【００３１】
次に、本実施形態に係る組み付け裏側ユニット５１の一部を構成する下部誘導部材９０について説明する。図３および図５に示すように、本実施形態に係る下側誘導部材９０は、上記側部誘導樋８１ａ，８１ｂに連通するとともに上記サイド入賞装置２７ａ，２７ｂから入賞した遊技球を下方に誘導案内するための下部誘導樋９３ａ，９３ｂや特別入賞装置２２から入賞した遊技球を下方に誘導案内するための中央下誘導樋９９を構成するとともに後述する基板取付部９５，９７を形成する裏側付設部材であって、機能の異なる図柄表示部支持部材５２の下方に配置される長尺形状に成形された（典型的には合成樹脂の射出成形等によって成形され得る）主要裏側付設部材である。
【００３２】
図５に示すように、この下部誘導部材９０の両端部分（即ち遊技盤１０に本下部誘導部材９０を取り付けるためのフランジ部９０ａ，９０ｂ）を除く中央部分はフラットな台状にパチンコ機後方に張り出した誘導樋形成部９２が形成されている。この誘導樋形成部９２の内部には、上記側部誘導樋８１ａ，８１ｂの連絡口８５ａ，８５ｂに連通するとともに更にサイド入賞装置２７ａ，２７ｂから入賞した遊技球を下方に誘導案内するための下部誘導樋（球通路）９３ａ，９３ｂが形成されている。
【００３３】
すなわち、図５に示すように誘導樋形成部９２の上端部には左右に張り出した開口部８７ａ，８７ｂが形成されており、その内部には筒状の下部誘導樋９３ａ，９３ｂが形成されている。この下部誘導樋９３ａ，９３ｂの開口部８７ａ，８７ｂ近傍部分には下部誘導樋９３ａ，９３ｂを二分する隔壁９１ａ，９１ｂが設けられており、それによって二分された球通路のうちの内側を上記側部誘導樋８１ａ，８１ｂから連絡口８５ａ，８５ｂを経由して誘導されてきた入賞球が通行する。また、かかる隔壁９１ａ，９１ｂによって二分された球通路のうちの外側がサイド入賞装置２７ａ，２７ｂから入賞した遊技球を下方に誘導案内するための通路となる。而して、図５に示すように、これら二分された球通路は誘導樋形成部９２の中央寄り部分で合流し、一つの樋（球通路）となって誘導樋形成部９２下端部の左右に張り出して設けられた下端開口部９４ａ，９４ｂに通じている（図中の破線で示す球流路を参照）。
【００３４】
一方、それら下部誘導樋９３ａ，９３ｂに挟まれた領域すなわち誘導樋形成部９２内の中央部分には、上記センター役物３１の中央下方に装備される特別入賞装置２２によって形成される入賞口から入賞した遊技球を遊技盤１０の裏面側において誘導案内するための中央下誘導樋（球通路）９９が形成されている。図５に示すように、この中央下誘導樋９９は、図５における向かって左側が高く右側が低い比較的緩やかな傾斜角度をもってその底板部９９ａが形成されており、その右端部は本中央下球誘導路９９の下端開口部９９ｂに続いている。これにより、かかる中央下誘導樋９９を流動する入賞球は、底板部９９ａ上面を下端開口部９９ｂ方向に転動する。
【００３５】
而して、誘導樋形成部９２の内部に形成された上記下部誘導樋９３ａ，９３ｂおよび中央下誘導樋９９の下端開口部９４ａ，９４ｂ，９９ｂは、他の裏側付設部材（本実施形態において組み付け裏側ユニット５１を構成しない。）である図示しない下部集合樋に連通している。これにより、いずれかの入賞口から入賞した遊技球を各誘導樋を介して遊技盤１０裏面側に回収しつつパチンコ機１外に送出することができる。また、下部誘導部材９０の下方には、実際には上記複数の入賞口を備えた大型の変動入賞装置２４が誘導樋形成部９２に隣接するようにして遊技盤１０に装着される（図１）。このため、図５に示すように、誘導樋形成部９２の下端部は、当該装着された入賞装置２４の形状に対応するよう外形に形成されている。なお、本実施形態に係るパチンコ機１における入賞球の遊技盤１０裏面側における送出機構自体は、通常のパチンコ機におけるものと同様であり、特に本発明を特徴付けるものでもないため、詳細な説明は省略する。
【００３６】
一方、図５に示すように、本実施形態に係る下部誘導部材９０の誘導樋形成部９２における上部側壁面には、上記組み付けボス７０ａ，７０ｂと同様の組み付けボス７３ａ，７３ｂが上方に延伸するようにして左右一対形成されている。而して、本実施形態に係る下部誘導部材９０は、これら組み付けボス７３ａ，７３ｂを介して上記図柄表示部支持部材５２の下部に着脱可能に組み付けることができる。このことについては後述する。
【００３７】
また、下部誘導部材９０の誘導樋形成部９２の表面には、大小異なる大きさの２種類の制御基板９６，９８を択一的あるいは共に装着するための基板取付部９５，９７がそれぞれ後方に向けて突出された状態で形成されている。すなわち、誘導樋形成部９２のほぼ中央には、額縁状にフレームが突設されて成る小基板取付部９７が形成されている。一方、誘導樋形成部９２の外縁近くには、上記小基板取付部９７を取り囲むようにして額縁状にフレームが突設されて成る大基板取付部９５が形成されている。ここで、大基板取付部９５を構成するフレームは上記小基板取付部９７を構成するフレームよりも高くなるように（即ち後方により突出するように）突設されている。このように二つの基板取付部９５，９７を二重に設けることによって、大小二つの回路基板９６，９８をそれぞれ額縁状フレーム状に位置決めしつつ上下（高低）二層に装着することができる（図３）。なお、本実施形態においては、図示しないメイン制御基板に接続される大小二つの中継回路基板９６，９８がかかる基板取付部９５，９７にそれぞれ装着されている。なお、ここで装着された中継回路基板９６，９８には、図示しない種々の回路素子と共にいくつかのレセプタクルが配設されている。これにより、他の電気部品や制御基板に接続された図示しない接続コードの一端に設けられるコネクタプラグを当該レセプタクルに差し込むことによって、当該中継基板９６，９８を他の回路基板（例えば上記基板６７ａ，６７ｂ，６８ａ，６８ｂ）等と電気的に接続することができる。なお、これら中継基板９６，９８に構築される回路は、本パチンコ機１におけるパチンコ遊技の内容に応じて適宜異なり得るものであり、その内容自体は本発明を特に特徴付けるものでもないため、具体例等を挙げた詳細な説明は省略する。
【００３８】
次に、上述の各裏側部材の組み付け態様について説明する。図５に示すように、本実施形態に係る組み付け裏側ユニット５１を構成する各裏側部材について、上述した各組み付けボス７０ａ〜ｂ，７１ａ〜ｃ，７２ａ〜ｃ，７３ａ〜ｂと、上記各天板部６１ａ〜ｂ，７７ａ〜ｂ，８４ａ〜ｂに設けられた係合穴６２ａ〜ｂ，７９ａ〜ｂ，８８ａ〜ｃ，８９ａ〜ｃとは、上記各裏側部材を相互に組み付け得るように予め対応する位置に形成されている。すなわち、図５に示すように、上記チャッカー入賞球誘導部材８０ａ，８０ｂは、上記天板部８４ａ，８４ｂにおける係合穴８８ａ〜ｃ，８９ａ〜ｃを、図柄表示部支持部材５２の左右側枠部５４ａ，５４ｂに付設された組み付けボス７１ａ〜ｃ，７２ａ〜ｃのビス穴と合わせるようにして、かかる図柄表示部支持部材５２の両側に組み付けられる。すなわち、図５におけるＶII−ＶII線断面図である図７ならびに図７と異なる他の部分を模式的に示した図８に示すように、天板部８４ａ，８４ｂと遊技盤１０裏面との間隙に組み付けボス７１ａ〜ｃ，７２ａ〜ｃを差し入れるようにして、これら部材を配置する。而して、図６に示すように、当該係合穴８８ａ〜ｃ，８９ａ〜ｃにそれぞれビスｖを挿入すると共に、組み付けボス７１ａ〜ｃ，７２ａ〜ｃのビス穴にそのままねじ込んで締め付けることによって、これらチャッカー入賞球誘導部材８０ａ，８０ｂを図柄表示部支持部材５２に固着することができる。
【００３９】
同様に、上記風車基板取付部材７５ａ，７５ｂは、上記天板部７７ａ，７７ｂにおける係合穴７９ａ，７９ｂを、図柄表示部支持部材５２の上側枠部５３に付設された組み付けボス７０ａ，７０ｂのビス穴と合わせるようにして、かかる図柄表示部支持部材５２の上部に組み付けられる。而して、図６に示すように、当該係合穴７９ａ，７９ｂにそれぞれビスｖを挿入すると共に、組み付けボス７０ａ，７０ｂのビス穴にそのままねじ込んで締め付けることによって、これら風車基板取付部材７５ａ，７５ｂを図柄表示部支持部材５２に固着することができる。
【００４０】
同様に、上記下部誘導部材９０は、上記組み付けボス７３ａ，７３ｂのビス穴と、図柄表示部支持部材５２の下側枠部５６に付設された組み付け天板部６１ａ，６１ｂの係合穴６２ａ，６２ｂとを合わせるようにして、かかる図柄表示部支持部材５２の下部に組み付けられる。而して、図６に示すように、当該係合穴６２ａ，６２ｂにそれぞれビスｖを挿入すると共に、組み付けボス７３ａ，７３ｂのビス穴にそのままねじ込んで締め付けることによって、かかる下部誘導部材９０を図柄表示部支持部材５２に固着することができる。
【００４１】
このようにして、図６に示すように、上記各裏側部材を相互に組み付け、固着することによって、これらが合体した状態の本実施形態に係る組み付け裏側ユニット５１を構成することができる。而して、チャッカー入賞球誘導部材８０ａ，８０ｂに付設されている取付用フランジ８３ａ，８３ｂおよび／または下部誘導部材９０におけるフランジ部９０ａ，９０ｂを遊技盤１０（パネル部材１２）裏面側に密着させてビス等によって固着することによって、当該組み付け裏側ユニット５１全体を遊技盤１０裏面側に一挙に取り付けることができる。従って、本実施形態に係る組み付け裏側ユニット５１によれば、上記従来の一体成形タイプの裏側ユニットと同様、物理的にみて一つ（相互に組み付けられた合体物）となっている組み付け裏側ユニット５１を遊技盤１０に装着することによって上記複数の裏側部材を一度に装着することが可能となる。このため、遊技盤１０構築における作業効率を良好に維持することができる。さらに、本実施形態に係る組み付け裏側ユニット５１では、遊技盤１０の盤面構成を変更した際、変更を要する裏側付設部材（例えば上記チャッカー入賞球誘導部材８０ａ，８０ｂ）のみを交換し、変更を要しない裏側付設部材（例えば上記図柄表示部支持部材５２や風車基板取付部材７５ａ，７５ｂ）をそのまま使用することができる。これら複数種の裏側付設部材は相互に機能が異なるため、それらの一部の種類の裏側付設部材を交換しても他の種類の裏側付設部材（交換を要しないもの）には影響がない。このため、かかる組み付け裏側ユニット５１を備える本遊技盤１０においては、交換部分のみの成形金型を別途供給すればよいため、従来の一体成形裏側ユニット全体を交換する場合と比較して製造コスト上昇を低く抑え得るとともに個々の裏側部材の互換性を高めることができる。この結果、個々の裏側部材の標準化（汎用化）に寄与することができる。
【００４２】
以上、本発明の遊技盤に備えられる好適な組み付け裏側ユニットの一例を説明したが、本発明の遊技盤に備えられる組み付け裏側ユニットとして好適な他の組み付け裏側ユニットの一例を第二の実施形態として図面を参照しつつ説明する。なお、図９は、かかる好適な組み付け裏側ユニット１０１を構成する各裏側部材（計６個）１０２，１２５ａ，１２５ｂ，１３０ａ，１３０ｂ，１４０をおおよその配置位置に置いて示す正面図である。
【００４３】
図９に示すように、本実施形態に係る組み付け裏側ユニット１０１も、上記実施形態の組み付け裏側ユニット５１と同様、裏側センター部材に相当する図柄表示部支持部材１０２に、複数の裏側付設部材として左右一対のチャッカー入賞球誘導部材１３０ａ，１３０ｂと左右一対の風車基板取付部材１２５ａ，１２５ｂと下部誘導部材１４０とを組み付けて成る合体ユニットである。
【００４４】
このうち、かかるユニットの中心部材となる図柄表示部支持部材１０２は、上記実施形態におけるもの（図５参照）と同様、上記中央開口部１３に覆い被さるようにして取り付けられた方形枠状部材であり、遊技盤１０の裏面側に直立した壁状に突設される上側枠部１０３、下側枠部１０６および左右の側枠部１０４ａ，１０４ｂから構成されている。而して、上記実施形態と同様に延伸プレート１０５ａ，１０５ｂ、取付用ボス１０６ａおよび位置決め用ボス１０６ｂが備えられた役物装飾用取付部が構成されており、装飾用ランプ基板６３（図３）を装着することができる。また、上記実施形態と同様にコーナ壁部１０８ａ，１０８ｂ、取付用ボス１０９、位置決め用ボス１１０等から成る支持部が設けられており、装飾用ランプ基板６３と所定の間隔を隔ちつつその後方に図柄表示装置４０（図４）を装着・支持することができる。
【００４５】
ところで、本実施形態においても上記実施形態と同様、図柄表示部支持部材１０２の上側枠部１０３の両端近くにおいて左右一対の組み付けボス１２０ａ，１２０ｂがその外壁面に隣接して形成されている。また、下側枠部１０６の上記取付用ボス１０９および位置決め用ボス１１０の下方において、上記実施形態と同様の係合穴１１２ａ，１１２ｂが設けられた組み付け天板部１１１ａ，１１１ｂが形成されている。一方、図９に示すように、本実施形態に係る図柄表示部支持部材１０２の左右の側枠部１０４ａ，１０４ｂの外壁面には、組み付けボス１２１ａ〜ｅ，１２２ａ〜ｅが左右５個ずつほぼ均等間隔に形成されている。かかる組み付けボス１２１ａ〜ｅ，１２２ａ〜ｅは、上記実施形態における組み付けボス７１ａ〜ｃ，７２ａ〜ｃ（図５）よりも長めに側方に延伸して形成されており、その末端付近の頂部には同様にビス穴が設けられている。
【００４６】
次に、本実施形態に係るチャッカー入賞球誘導部材１３０ａ，１３０ｂについて説明する。図９に示すように、本実施形態に係るチャッカー入賞球誘導部材１３０ａ，１３０ｂは、上記実施形態におけるもの（図５）と同様、普通入賞装置２１ａ，２１ｂが形成する普通入賞口から入賞した遊技球を下方に案内するための側部誘導樋（球通路）１３１ａ，１３１ｂを構成する裏側付設部材である。而して、これらチャッカー入賞球誘導部材１３０ａ，１３０ｂについても、上記実施形態と同様の側壁部１３２ａ，１３２ｂ（誘導樋の内壁側と外壁側とを含む）と、かかる側壁部１３２ａ，１３２ｂの頂面に設けられたフラットな天板部１３４ａ，１３４ｂとから構成されている。このことによって、本実施形態に係るチャッカー入賞球誘導部材１３０ａ，１３０ｂについても、遊技盤１０の裏面側に装着した際には当該遊技盤１０裏面と側壁部１３２ａ，１３２ｂと天板部１３４ａ，１３４ｂとに囲まれた誘導樋１３１ａ，１３１ｂが形成されることとなる。また、側壁部１３２ａ，１３２ｂの上端外側に取付用フランジ１３３ａ，１３３ｂが設けられている点も上記実施形態と同様である。なお、本実施形態に係るチャッカー入賞球誘導部材１３０ａ，１３０ｂには上述の基板取付部８６ａ，８６ｂは設けられていないが、上述のように設けてもいっこうに構わない。
【００４７】
図９に示すように、かかる取付用フランジ１３３ａ，１３３ｂの内側部に接するようにして側壁部１３２ａ，１３２ｂおよび天板部１３４ａ，１３４ｂが上方に立ち上がって延伸形成されている。而して、本実施形態においては、かかる延伸部分を含めて図柄表示部支持部材５２に近接する部位において、天板部１３４ａ，１３４ｂに上下に亘って２列４箇所（計８箇所）に係合穴１３８ａ〜ｈ，１３９ａ〜ｈが形成されている。このことによって、本実施形態に係るチャッカー入賞球誘導部材１３０ａ，１３０ｂは、これら係合穴１３８ａ〜ｈ，１３９ａ〜ｈのいずれかを介して上記図柄表示部支持部材５２の両側部にその組付け位置を変更可能に組み付けることができる。このことについては後述する。
【００４８】
次に、本実施形態に係る風車基板取付部材１２５ａ，１２５ｂについて説明する。図９に示すように、本実施形態に係る風車基板取付部材７５ａ，７５ｂは、上述の実施形態におけるもの（図５）と同様、図柄表示部支持部材１０２の上側枠部１０３の左右両端に配置される裏側付設部材である。而して、これら風車基板取付部材１２５ａ，１２５ｂについても同様の形状の外枠部１２６ａ，１２６ｂ、風車用基板取付部１２８ａ，１２８ｂおよび組み付け天板部１２７ａ，１２７ｂが形成されている。ここで、図９に示すように、本実施形態においては、かかる組み付け天板部１２７ａ，１２７ｂにおいて、横一列に並んだ３箇所の係合穴１２９ａ〜ｃ，１２９ｄ〜ｆが設けられている。このことによって、本実施形態に係る風車基板取付部材１２５ａ，１２５ｂは、これら係合穴１２９ａ〜ｃ，１２９ｄ〜ｆのいずれかを介して上記図柄表示部支持部材５２の上部左右にその組付け位置を変更可能に組み付けることができる。このことについては後述する。
【００４９】
次に、本実施形態に係る下部誘導部材１４０について説明する。図９に示すように、本実施形態に係る下部誘導部材１４０は、上述の実施形態におけるもの（図５）と同様、下部誘導樋１４３ａ，１４３ｂや中央下誘導樋１４９を構成する裏側付設部材である。而して、この下部誘導部材１４０の両端のフランジ部１４０ａ，１４０ｂを除く中央部分はフラットな台状に張り出した誘導樋形成部１４２が形成されており、かかる誘導樋形成部１４２の内部には、上述の実施形態と同様の上記側部誘導樋１３１ａ，１３１ｂの連絡口１３５ａ，１３５ｂに連通するとともに更にサイド入賞装置２７ａ，２７ｂから入賞した遊技球を下方に誘導案内するための下部誘導樋（球通路）１４３ａ，１４３ｂが形成されている。但し、本実施形態においては、開口部１３７ａ，１３７ｂ内には隔壁が設けられておらず、単一の広い開口部１３７ａ，１３７ｂとなっている（図９）。かかる隔壁のない開口部１３７ａ，１３７ｂ以外の誘導樋形成部１４２内外の構造（例えば、下端開口部１４４ａ，１４４ｂ、中央下誘導樋（球通路）１４９およびその底板部１４９ａや下端開口部１４９ｂ、大小二つの基板取付部１４５，１４７等）は、いずれも上記実施形態におけるものと同様である。而して、本実施形態に係る下部誘導部材１４０の誘導樋形成部１４２上部側壁面には、上記実施形態におけるものと同様の組み付けボス１２３ａ，１２３ｂが上方に延伸するようにして左右一対形成されている。
【００５０】
次に、本実施形態に係る組み付け裏側ユニット１０１を構成する各裏側部材相互の選択可能な組み付け態様について説明する。図９に示すように、本実施形態に係る組み付け裏側ユニット１０１を構成する各裏側部材については、上述した各組み付けボス１２０ａ〜ｂ，１２１ａ〜ｅ，１２２ａ〜ｅ，１２３ａ〜ｂと、上記各天板部１１１ａ〜ｂ，１２７ａ〜ｂ，１３４ａ〜ｂに設けられた係合穴１１２ａ〜ｂ，１２９ａ〜ｃ，１２９ｄ〜ｆ，１３８ａ〜ｈ，１３９ａ〜ｈとは、上記各裏側部材を選択可能な異なる相対位置のいずれかで相互に組み付け得るように予め対応する位置に形成されている。
【００５１】
図９に示すように、上記チャッカー入賞球誘導部材１３０ａ，１３０ｂは、上記天板部１３４ａ，１３４ｂにおける縦２列の係合穴１３８ａ〜ｈ，１３９ａ〜ｈのいずれかを選択して図柄表示部支持部材１０２の左右側枠部１０４ａ，１０４ｂに付設された組み付けボス１２１ａ〜ｅ，１２２ａ〜ｅのいずれかと合わせることによって、かかる図柄表示部支持部材５２の側方に選択可能な複数の異なる相対位置のいずれかにおいて組み付け、図６に示すのと同様にビスによって固着（ビス着）することができる。
【００５２】
例えば、チャッカー入賞球誘導部材１３０ａ，１３０ｂの外側列（即ち図柄表示部支持部材１０２から遠位の列）における係合穴１３８ｅ〜ｈ，１３９ｅ〜ｈの計４つを図柄表示部支持部材１０２の最上部を除く片側４つの組み付けボス１２１ｂ〜ｅ，１２２ｂ〜ｅと組み付けてビス着することによれば、上述の実施形態におけるものと同様の相対位置をとってこれら部材を組み付け・固着することができる（図６参照）。一方、チャッカー入賞球誘導部材１３０ａ，１３０ｂの内側列（即ち図柄表示部支持部材１０２から近位の列）における係合穴１３８ａ〜ｄ，１３９ａ〜ｄの計４つを図柄表示部支持部材１０２の最上部を除く片側４つの組み付けボス１２１ｂ〜ｅ，１２２ｂ〜ｅと組み付けてビス着することによれば、上述の実施形態におけるものよりも側部誘導樋１３１ａ，１３１ｂが左右により離れた状態の相対位置をとってこれら部材を組み付け・固着することができる。このとき、上記実施形態におけるもの（図５）と同様、図柄表示部支持部材１０２と下部誘導材１４０とは上記係合穴１１２ａ，１１２ｂと組み付けボス１２３ａ，１２３ｂとの間の一定（不変）の組み付けにより相互に組み付けられる。しかしながら、上述のとおり、下部誘導部材１４０の開口部１３７ａ，１３７ｂが隔壁を設けずに幅広に設けられている結果、上記左右に離れた相対位置をとった場合であってもそれらの連絡口１３５ａ，１３５ｂと開口部１３７ａ，１３７ｂとは遊技球を通行可能に連結され得る。従って、上記左右に離れた相対位置をとって両チャッカー入賞球誘導部材１３０ａ，１３０ｂを組み付けた場合であっても、側部誘導樋１３１ａ，１３１ｂを通行する入賞球はかかる幅広開口部１３７ａ，１３７ｂのやや外寄り部分を通って下部誘導樋１４３ａ，１４３ｂへと誘導され得る。
【００５３】
このように、本実施形態に係る組み付け裏側ユニット１０１によれば、両チャッカー入賞球誘導部材１３０ａ，１３０ｂの組付け位置（相対位置）を横方向に異ならせることによって、かかる部材を交換することなく上記入賞装置２１ａ，２１ｂの配置場所を横方向にずらした（離した）ことによる遊技盤１０盤面構成の変更に対処することができる。
【００５４】
あるいは、本実施形態に係る組み付け裏側ユニット１０１では、入賞装置２１ａ，２１ｂの配置場所を縦方向にずらした遊技盤１０盤面構成の変更にも好ましく対処することができる。すなわち、図９に示すように、本実施形態に係る図柄表示部支持部材１０２の左右側枠部１０４ａ，１０４ｂには、組み付けボス１２１ａ〜ｅ，１２２ａ〜ｅが縦方向に５箇所ずつ左右対称に設けられている。そこで、例えば、チャッカー入賞球誘導部材１３０ａ，１３０ｂの外側列における縦４箇所の係合穴１３８ｅ〜ｈ，１３９ｅ〜ｈを図柄表示部支持部材１０２の最下部を除く片側４箇所の組み付けボス１２１ａ〜ｄ，１２２ａ〜ｄと組み付けてビス着することによれば、横方向は上述の実施形態におけるものと同様の相対位置をとる一方で縦方向についてみれば上記実施形態よりも上方向に移動した相対位置においてこれら部材を組み付け・固着することができる。このとき、連絡口１３５ａ，１３５ｂと下部誘導部材１４０の開口部１３７ａ，１３７ｂとの距離は若干離れるわけであるが横方向への重大なずれが生じるわけではない。このため、側部誘導樋１３１ａ，１３１ｂを通行する入賞球は連絡口１３５ａ，１３５ｂから真っ直ぐ落下し、かかる幅広開口部１３７ａ，１３７ｂ内にそのまま落入し得る。あるいは、この場合、連絡口１３５ａ，１３５ｂと下部誘導部材１４０の開口部１３７ａ，１３７ｂとの間に遊技球が通行可能な筒状のガイド管（図示せず）を別途装着することによってこれら開口部分を物理的に連通させるのも、遊技球を確実に下部誘導樋１４４ａ，１４４ｂに誘導するという観点から好適である。このように、本実施形態に係る組み付け裏側ユニット１０１によれば、チャッカー入賞球誘導部材１３０ａ，１３０ｂの組付け位置（相対位置）を縦方向に異ならせることによって、かかる部材を交換することなく上記入賞装置２１ａ，２１ｂの配置場所を縦方向にずらした遊技盤１０盤面構成の変更にも簡単に対処することができる。
【００５５】
同様に、本実施形態に係る組み付け裏側ユニット１０１において、上記風車基板取付部材１２５ａ，１２５ｂに設けられた３箇所の係合穴１２９ａ〜ｃ，１２９ｄ〜ｆのいずれかを選択することによって、選択可能な複数（ここでは３通り）の異なる相対位置のいずれかにおいて当該風車基板取付部材１２５ａ，１２５ｂを図柄表示部支持部材１０２の上部に組み付けることができる。すなわち、上記風車基板取付部材１２５ａ，１２５ｂに設けられた３箇所の係合穴１２９ａ〜ｃ，１２９ｄ〜ｆのいずれかと、図柄表示部支持部材１０２の上側枠部１０３に付設された組み付けボス１２０ａ，１２０ｂのビス穴とを合わせることによって、かかる図柄表示部支持部材１０２の上部においてその組み付け位置を左右に異ならせてこれら部材を組み付けることができる。このように、本実施形態に係る組み付け裏側ユニット１０１によれば、風車基板取付部材１２５ａ，１２５ｂの組付け位置（相対位置）を横方向に異ならせることによって、かかる部材を交換することなく上記風車２３ａ，２３ｂの配置場所を横方向にずらしたことによる遊技盤１０盤面構成の変更に簡単に対処することができる。
【００５６】
以上のように、本実施形態に係る組み付け裏側ユニット１０１は、それを構成する各裏側付設部材の相対位置を適宜異ならせることによって、遊技盤１０の盤面構成（典型的には遊技領域）に現行の部材のまま対処することができる。このため、本実施形態に係る組み付け裏側ユニット１０１を備えた遊技盤によれば、上記実施形態に係る遊技盤と同様の作用効果を奏することに加え、さらに裏側部材の標準化（汎用化）を促すことができる。盤面構成の変更に関わらず同一種の裏側付設部材の使用頻度が増すため、製造コスト（金型製造費等）の上昇をさらに一段と抑えることができるからである。
【００５７】
以上、本発明の遊技盤に備えられる組み付け裏側ユニットについて図面を参照しつつ説明したが、本発明の遊技盤では、その裏面側において、上記裏側センター部材に上記複数の裏側付設部材がそれぞれ着脱可能に組み付けられ、それらが当該組み付けによって合体した状態で取り付けられておればよく、上述の実施の形態に限定されるものではない。例えば、裏側センター部材に組み付けられる裏側付設部材として、風車基板取付部材、チャッカー入賞球誘導部材および下部誘導部材を例示したが、これらに限定されず、他の異なる種類の裏側付設部材を組み付けてもよい。例えば、上述の誘導レール１１沿いに設置されているサイド装飾部材２６ａ，２６ｂに対応する裏側部材（例えばランプ基板取付部材）を裏側付設部材として上記裏側センター部材に同様の態様で組み付けたものであってもよい。
【００５８】
あるいは、本発明において裏側センター部材は、かかる枠状の図柄表示部支持部材に限定されず、例えば第２種パチンコ機において大型の変動入賞装置（いわゆる羽根もの）がセンター役物である場合、かかるセンター役物の後方に配置される電動部品（例えばソレノイドやモータ）を保持するために遊技盤裏面側に設置される部材も裏側センター部材となり得る。また、組み付け手段は、上述のような組み付けボスと係合穴とのビス着に限定されるものではなく、二つの部材を係合し得る種々の手段が適用され得る。例えば、所定の穴にフック状の係合片をその弾性力によって嵌合（ロック）させる形態の組み付け手段であってもよい。
【００５９】
【発明の効果】
本発明によれば、製造コストの上昇を抑制するための裏側部材の標準化（汎用化）と、遊技盤の構築における作業効率を良好に維持することとを共に実現した遊技盤およびそのような遊技盤を装着したパチンコ機を提供することができる。
【００６０】
すなわち、本発明の遊技盤には上記組み付け裏側ユニットが備えられており、そのことによって、センター役物またはその周囲に配置される機能の異なるいくつかの遊技装置の種類やその配置位置を変動させてその盤面構成を変更した場合にも、上記裏側センター部材または何種類かの裏側付設部材を交換することのみでかかる盤面構成の変更に対処することができる。このため、従来の一体成形裏側ユニット全体を交換する場合と比較して、成形金型製造費等の製造コスト上昇を低く抑えることができる。その一方で、本発明の遊技盤では、その盤面構成の変更時において変更（取り替え）を要しない裏側付設部材をそのまま使用することができる。このため、本発明の遊技盤によれば個々の裏側部材の互換性を高めることができ、結果、個々の裏側部材の標準化（汎用化）に寄与することができる。
【００６１】
さらに、本発明の遊技盤では、上記従来の一体成形裏側ユニットと同様、裏側部材の組み付けによる合体複合部材である組み付け裏側ユニットを遊技盤の裏面側に一体的に取り付けることができる。このため、上記従来の一体成形裏側ユニットと同様に複数の裏側部材を一度に装着することが可能である。このため、遊技盤構築における作業効率を良好に維持することができる。
【図面の簡単な説明】
【図１】一実施形態に係る本発明の遊技盤を装着したパチンコ機の正面図である。
【図２】一実施形態に係る本発明の遊技盤を装着したパチンコ機の背面図である。
【図３】一実施形態に係る本発明の遊技盤の裏面側をパチンコ機に装着した状態で示す背面図である。
【図４】図１におけるＩＶ−ＩＶ線断面図である。
【図５】一実施形態に係る本発明の組み付け裏側ユニットを構成する各裏側部材を示す正面図である。
【図６】一実施形態に係る本発明の組み付け裏側ユニット（組み付けられた状態）を示す正面図である。
【図７】図５におけるＶＩＩ−ＶＩＩ線断面図である。
【図８】一実施形態に係る本発明の組み付け裏側ユニットの組み付け態様を模式的に示す斜視図である。
【図９】一実施形態に係る本発明の組み付け裏側ユニットを構成する各裏側部材を示す正面図である。
【符号の説明】
１ パチンコ機
１０ 遊技盤
２１ａ，２１ｂ 入賞装置
２３ａ，２３ｂ 風車
２４ 変動入賞装置
２５ａ 大入賞口
３１ センター役物
３１ａ 本体枠
４０ 図柄表示装置
６７ａ，６７ｂ ランプ基板
９６，９８ 回路基板
１０１ 裏側ユニット
１０２ 図柄表示部支持部材
１０３ 上側枠部
１０４ａ，１０４ｂ 側枠部
１０６ 下側枠部
１２５ａ，１２５ｂ 風車基板取付部材
１３０ａ，１３０ｂ 入賞球誘導部材
１３１ａ，１３１ｂ 側部誘導樋
１４０ 下部誘導部材
１４３ａ，１４３ｂ 下部誘導樋
１４５，１４７ 基板取付部
１４９ 中央下誘導樋
【図１】
0004399558.tif 000002
【図２】
0004399558.tif 000003
【図３】
0004399558.tif 000004
【図４】
0004399558.tif 000005
【図５】
0004399558.tif 000006
【図６】
0004399558.tif 000007
【図７】
0004399558.tif 000008
【図８】
0004399558.tif 000009
【図９】
0004399558.tif 000010